(57)【特許請求の範囲】
【請求項１】
室内熱交換器と、室内ファンと、室温を検知する室温検出手段と、吹き出し口に設けられ吹き出し風の向きを変更する上下風向変更羽根と、使用者が温度を設定するための制御装置を備え、前記制御装置で設定された温度から目標温度を決定し、前記室温検出手段にて検出された温度と前記目標温度との差により室温を調整すると共に、吹き出し風が天井方向に吹出すように前記上下風向変更羽根の位置を変更した場合、前記目標温度をあらかじめ決められた補正値で補正し、上下風向変更羽根の位置を、吹き出し風を天井方向に向ける位置から、床面方向に向ける位置に変更した場合、目標温度の補正を解除することを特徴とする空気調和機。
【請求項２】
室内熱交換器と、室内ファンと、室温を検知する室温検出手段と、吹き出し口に設けられ吹き出し風の向きを変更する上下風向変更羽根と、使用者が温度を設定するための制御装置を備え、前記制御装置で設定された温度から目標温度を決定し、前記室温検出手段にて検出された温度と前記目標温度との差により室温を調整すると共に、吹き出し風が天井方向に吹き出すように前記上下風向変更羽根の位置を変更した場合、前記目標温度を補正するようにし、その際の補正値を、前記上下風向変更羽根の位置の変更前後に前記室温検出手段で検出された温度の差に応じて決定し、上下風向変更羽根の位置の変更前後に前記室温検出手段で検出された温度の差に応じて補正値を決定する際に、前回の補正値と今回の補正値の平均値を、制御上の補正値とすることを特徴とする空気調和機。
【請求項３】
上下風向変更羽根の位置を、吹き出し風を天井方向に向ける位置から、床面方向に向ける位置に変更した場合、目標温度の補正を解除することを特徴とする請求項２に記載された空気調和機。
【請求項４】
吹き出し風が天井方向に吹出すように上下風向変更羽根の位置を変更した後、一定時間サーモオフをさせないことを特徴とする請求項１〜３のいずれか１項に記載された空気調和機。
【発明の詳細な説明】
【技術分野】
【０００１】
本発明は、空気調和機に関するもので、特に、空気調和機の快適性向上に関するものである。
【背景技術】
【０００２】
従来、この種の空気調和機においては、外気温度の負荷や室内ファンの回転数などで、制御装置により設定された温度を補正し目標温度を決定、居住空間が制御装置により設定された温度になるように制御を行っていた。近年、更なる快適性向上のため上下風向変更羽根の凹部を上に向け、熱交換された空気を天井方向に吹出す、いわゆる天井気流が使用されるようになった（例えば、特許文献１参照）。
【特許文献１】特開２００３−０４２５０４号公報
【発明の開示】
【発明が解決しようとする課題】
【０００３】
しかしながら、前記従来の空気調和機の構造では、天井気流が設定された場合に、空気調和機より吹出された風が天井付近に溜まるために、居住空間と天井付近で温度が２層になってしまい、居住空間の温度と室温検知温度に大きな差が出てしまうため、居住空間の温度が制御装置による設定温度と離れてしまう、といった課題があった。
【０００４】
本発明は、上記従来の課題を解決するもので、室温検知温度が変化しても、居住空間の温度を常に一定に保つことが出来、快適性に優れた空気調和機を提供することを目的とする。
【課題を解決するための手段】
【０００５】
前記従来の課題を解決するために、本発明の空気調和機は、室内熱交換器と、室内ファンと、室温を検知する室温検出手段と、吹き出し口に設けられ吹き出し風の向きを変更する上下風向変更羽根と、使用者が温度を設定するための制御装置を備え、前記制御装置で設定された温度から目標温度を決定し、前記室温検出手段にて検出された温度と前記目標温度との差により室温を調整すると共に、吹き出し風が天井方向に吹出すように前記上下風向変更羽根の位置を変更した場合、前記目標温度をあらかじめ決められた補正値で補正し、上下風向変更羽根の位置を、吹き出し風を天井方向に向ける位置から、床面方向に向ける位置に変更した場合、目標温度の補正を解除するもので、吹き出し風が天井方向に吹出す場合は、予め設定された補正値により目標温度を変更することで、室温検知温度が変わっても、居住空間の温度を一定に保つとともに、居住空間と制御装置で設定した温度との差をなくして、快適性の向上を図ることができる。
【０００６】
また、本発明の空気調和機は、室内熱交換器と、室内ファンと、室温を検知する室温検出手段と、吹き出し口に設けられ吹き出し風の向きを変更する上下風向変更羽根と、使用者が温度を設定するための制御装置を備え、前記制御装置で設定された温度から目標温度を決定し、前記室温検出手段にて検出された温度と前記目標温度との差により室温を調整すると共に、吹き出し風が天井方向に吹き出すように前記上下風向変更羽根の位置を変更した場合、前記目標温度を補正するようにし、その際の補正値を、前記上下風向変更羽根の位置の変更前後に前記室温検出手段で検出された温度の差に応じて決定し、上下風向変更羽根の位置の変更前後に前記室温検出手段で検出された温度の差に応じて補正値を決定する際に、前回の補正値と今回の補正値の平均値を、制御上の補正値とするもので、詳細な検討の必要なく、また空気調和機の能力やファン速や設置位置などの条件によらず、目標温度の補正が可能となり、居住空間と制御装置による設定温度との差をなくし快適性の向上を実現することが出来る。
【発明の効果】
【０００７】
本発明の空気調和機は、上下風向変更羽根の角度により、室温検知温度が変化しても、居住空間の温度を一定に保つことが出来、快適性の向上が可能となる。
【発明を実施するための最良の形態】
【０００８】
第１の発明は、室内熱交換器と、室内ファンと、室温を検知する室温検出手段と、吹き出し口に設けられ吹き出し風の向きを変更する上下風向変更羽根と、使用者が温度を設定するための制御装置を備え、前記制御装置で設定された温度から目標温度を決定し、前記室温検出手段にて検出された温度と前記目標温度との差により室温を調整すると共に、吹き出し風が天井方向に吹出すように前記上下風向変更羽根の位置を変更した場合、前記目標温度をあらかじめ決められた補正値で補正し、上下風向変更羽根の位置を、吹き出し風を天井方向に向ける位置から、床面方向に向ける位置に変更した場合、目標温度の補正を解除するもので、吹き出し風が天井方向に吹出す場合は、予め設定された補正値により目標温度を変更することで、室温検知温度が変わっても、居住空間の温度を一定に保つとともに、居住空間と制御装置で設定した温度との差をなくして、快適性の向上を図ることができる。
【０００９】
第２の発明は、室内熱交換器と、室内ファンと、室温を検知する室温検出手段と、吹き出し口に設けられ吹き出し風の向きを変更する上下風向変更羽根と、使用者が温度を設定するための制御装置を備え、前記制御装置で設定された温度から目標温度を決定し、前記室温検出手段にて検出された温度と前記目標温度との差により室温を調整すると共に、吹き出し風が天井方向に吹き出すように前記上下風向変更羽根の位置を変更した場合、前記目標温度を補正するようにし、その際の補正値を、前記上下風向変更羽根の位置の変更前後に前記室温検出手段で検出された温度の差に応じて決定し、上下風向変更羽根の位置の変更前後に前記室温検出手段で検出された温度の差に応じて補正値を決定する際に、前回の補正値と今回の補正値の平均値を、制御上の補正値とするもので、詳細な検討の必要なく、また空気調和機の能力やファン速や設置位置などの条件によらず、目標温度の補正が可能となり、さまざまな条件による補正値を平均化でき、吹き出し風を天井に向けて吹き出すように上下風向変更羽根の位置を設定した後に運転条件を変更しても、目標温度の補正が適切な値となり、居住空間と制御装置による設定温度との差をなくし快適性の向上を実現することが出来る。
【００１１】
第３の発明は、特に、第２の発明の上下風向変更羽根の位置を、吹き出し風を天井方向に向ける位置から、床面方向に向ける位置に変更した場合、目標温度の補正を解除するもので、目標温度の補正が行われている状態で、上下風向変更羽根で、吹き出し風の向きを天井方向から床面方向に変更した場合、前記補正を解除することにより、吹き出し風が床面方向になるように上下風向変更羽根を通常の位置に戻して、室温検知温度と居住空間の温度差が小さくなったときでも、居住空間の温度を一定に保つことが出来、快適性の向上が可能となる。
【００１２】
第４の発明は、特に、第１〜３のいずれか一つの発明の吹き出し風が天井方向に吹出すように上下風向変更羽根の位置を変更した後、一定時間サーモオフをさせないもので、吹き出し風が天井方向に吹出すように上下風向変更羽根の位置を変えたときに、室温検知が急激に変化しても本体の運転を止めることなく、目標温度の補正を行い居住空間の温度が一定となるようにして、快適性を向上させることができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における空気調和機の室内機の概略構成を示す断面図（天井気流時）、図２は、同室内機の概略構成を示す断面図（通常風向時）、図３は、同空気調和機の運転方法を示すフローチャートである。
【００１５】
図１において、本実施の形態における空気調和機の室内機５は、室内ファン１と、室内熱交換器２と、吹き出し口６に設けられ、吹き出し風の向きを上下に変更する上下風向変更羽根３と、室温を検知する室温検出手段としての室内吸い込み温度センサ４を備えている。図１は、天井気流時の上下風向変更羽根３の位置を示している。
【００１６】
同図１において、室内ファン１が回転することで室内の空気が吸い込まれ、その空気が室内熱交換器２により熱交換され、吹き出し口６から吹き出されるときに、上下風向変更羽根３により吹出しの風の方向を変更している。
【００１７】
この際、室内吸い込み温度センサ４により室温を検知し、室温の制御を行っている。また、図２は、通常羽根位置時の上下風向変更羽根３の位置を示している。
【００１８】
以上のように構成された本実施の形態における空気調和機の室内機５において、吹き出し風の向きが、天井方向になるように上下風向変更羽根３の位置を変えて、天井気流を設定した場合（図１に示す状態）の制御方法について、図３のフローチャートを用いて説明する。
【００１９】
図３において、運転開始時（ＳＴ０１）に、使用者がリモコンなどの制御装置（図示せず）を用いて設定した温度に基づき目標温度Ｔを決定する（ＳＴ０２）。
【００２０】
その後ＳＴ０３で、上下風向変更羽根３の向きを変えて、天井気流が設定された場合には、ＳＴ０４へ進む、ここでは、天井気流に設定した時の室温の変化から、あらかじめ補正値Ｔ１を求めておき、その補正値Ｔ１により、目標温度を補正しＴ＝Ｔ＋Ｔ１とする。このことにより、天井気流が設定され、室温検知温度が変化しても、居住空間の温度を一定に保つことが出来る。さらに、ＳＴ０５では、天井気流の設定が解除された場合には、天井付近と居住空間との温度差は小さくなるので、補正値を解除し、ＳＴ０６で、目標温度をＴ＝Ｔとすることにより、居住空間の温度の変動を抑えることが可能となる。
【００２１】
（実施の形態２）
図４は、本発明の第２の実施の形態における空気調和機の運転方法を示すフローチャートである。尚、上記第１の実施の形態における空気調和機と同一部分については、同一符号を付してその説明を省略する。
【００２２】
図４において、運転開始時（ＳＴ０７）に、目標温度Ｔを決定する（ＳＴ０８）。その後運転中は、室温検知温度をＴｒｏｏｍ１として記憶しておく（ＳＴ０９）。ＳＴ１０では、天井気流が設定された場合にＳＴ１１へ進み、上下風向変更羽根３変更後の室温検知温度をＴｒｏｏｍ２として記憶し、Ｔｒｏｏｍ２とＴｒｏｏｍ１の差を求める。この差が天井気流にしたときの室温検知温度の変化量なので、この値を補正値ΔＴとする（ＳＴ１２）。この補正値で目標温度を補正しＴ＝Ｔ＋ΔＴとする（ＳＴ１３）。このことにより、補正値を事前に検証することなく、ファン速等の各運転条件に適した目標温度が設定可能となり、快適性の向上が可能となる。さらに、ＳＴ１４で、天井気流が解除された場合には、天井付近と居住空間との温度差は小さくなるので、補正値を解除し、目標温度をＴ＝Ｔとすること（ＳＴ１５）により、居住空間の温度の変動を抑えることが可能となる。
【００２３】
（実施の形態３）
図５は、本発明の第３の実施の形態における空気調和機の運転方法を示すフローチャー
トである。尚、上記実施の形態における空気調和機と同一部分については、同一符号を付してその説明を省略する。
【００２４】
図５において、運転開始時（ＳＴ１６）に、目標温度Ｔを決定する（ＳＴ１７）。その後運転中は、室温検知温度をＴｒｏｏｍ１として記憶しておく（ＳＴ１８）。ＳＴ１９では、天井気流が設定された場合にＳＴ２０へ進み、上下風向変更羽根３変更後の室温検知温度をＴｒｏｏｍ２として記憶し、Ｔｒｏｏｍ２とＴｒｏｏｍ１の差よりΔＴ１を決定する（ＳＴ２１）。
【００２５】
ＳＴ２２で、このとき天井気流設定が初めての場合、ＳＴ２３へ進み、ΔＴ１を制御上の補正値ΔＴ２とする。しかし、風量や設定温度などの条件で補正値は異なってくるので、天井気流設定が２回目以降の場合には、ＳＴ２４へ進み、前回のΔＴ２と今回の温度差ΔＴ１の平均値を、改めてΔＴ２とし制御上の補正値とする。この補正値で目標温度を補正しＴ＝Ｔ＋ΔＴ２とする（ＳＴ２５）。
【００２６】
このことにより、さまざまな条件における補正値を平均化することができ、天井気流設定後に運転条件が変えられてもそれぞれに対応可能となり、快適性の向上が可能となる。さらに、ＳＴ２６で天井気流の設定が解除された場合には、天井付近と居住空間との温度差は小さくなるので、補正値を解除し、目標温度をＴ＝Ｔとすること（ＳＴ２７）により、居住空間の温度の変動を抑えることが可能となる。
【００２７】
（実施の形態４）
図６は、本発明の第４の実施の形態における空気調和機の運転方法を示すフローチャートである。尚、上記実施の形態における空気調和機と同一部分については、同一符号を付してその説明を省略する。
【００２８】
図６において、本実施の形態は、運転中に、天井気流が設定された場合（ＳＴ２９）に、室温検知温度が急激に変化するために誤ってサーモオフしないように、サーモオフを禁止し（ＳＴ３０）、一定期間経過（ＳＴ３１）し、目標温度の補正が完了すると、サーモオフの禁止を解除する（ＳＴ３２）もので、天井気流設定直後にサーモオフすることで快適性が悪化することを避けることが出来る。
【産業上の利用可能性】
【００２９】
以上のように、本発明にかかる空気調和機は、居住空間の快適性向上を可能とするので、室内、室外熱交換器、室内気温センサと室内、室外ファンを備えた機器に応用可能である。
【図面の簡単な説明】
【００３０】
【図１】本発明の実施の形態１における空気調和機の室内機の概略構成を示す断面図（天井気流時）
【図２】同室内機の概略構成を示す断面図（通常風向時）
【図３】同空気調和機の運転方法を示すフローチャート
【図４】本発明の実施の形態２における空気調和機の運転方法を示すフローチャート
【図５】本発明の実施の形態３における空気調和機の運転方法を示すフローチャート
【図６】本発明の実施の形態４における空気調和機の運転方法を示すフローチャート
【符号の説明】
【００３１】
１  室内ファン
２  室内熱交換器
３  上下風向変更羽根
４  室内吸い込み温度センサ（室温検出手段）
６  吹き出し口
Ｔ  目標温度
Ｔ１  設定された補正値
Ｔｒｏｏｍ１  通常運転時の室温検知温度
Ｔｒｏｏｍ２  天井気流設定直後の室温検知温度
【図１】
0005125553.tif 000002
【図２】
0005125553.tif 000003
【図３】
0005125553.tif 000004
【図４】
0005125553.tif 000005
【図５】
0005125553.tif 000006
【図６】
0005125553.tif 000007